(57)【要約】【課題】シートに子供を乗せる前に予め拘束装置の左右一対のバックル接続具をシート本体の左右部分に形成された側壁部の上方に保持可能に構成することを課題とする。【解決手段】子供が着座するシート本体と、着座した子供を拘束する拘束装置とを有し、前記拘束装置は股ベルトと、股ベルトに固定されるバックルと、左右一対のサイドベルトと、サイドベルトに対する配置位置が移動可能に構成される左右一対のバックル接続具と、サイドベルトの腰ベルト突出部の位置とバックル接続具の配置位置との間に配置位置が移動可能に構成される左右一対のスライダと、サイドベルトに配置された左右一対のスライダをシート本体の左右の側壁部の方向に引き寄せる引き寄せ手段とを有し、前記引き寄せ手段の実施によるスライダの移動によってサイドベルトに配置された左右一対のバックル接続具がシート本体の左右の側壁部の方向に移動可能に構成される。【選択図】図１
2012116273.tif 000002
【特許請求の範囲】
【請求項１】
子供が着座するシート本体と前記シート本体に着座した子供を拘束する拘束装置とを有し、前記シート本体は座面中央部に形成された股ベルト突出部と座面の左右位置に離間して形成された左右一対の腰ベルト突出部と背面の左右位置に離間して形成された左右一対の肩ベルト突出部とを有し、前記拘束装置は前記股ベルト突出部から突出し一端がシート本体に固定される股ベルトと前記股ベルトの他端に固定されるバックルと前記腰ベルト突出部と前記肩ベルト突出部間に配置され両端が夫々シート本体に固定される左右一対のサイドベルトと前記左右一対のサイドベルトの前記腰ベルト突出部の位置と前記肩ベルト突出部の位置との間に配置され前記サイドベルトに対する配置位置が移動可能に構成される左右一対のバックル接続具を有する子供用シートの拘束装置において、前記左右一対のサイドベルトの腰ベルト突出部の位置とバックル接続具の配置位置との間に配置され前記サイドベルトに対する配置位置が移動可能に構成される左右一対のスライダと、前記サイドベルトに配置された前記左右一対のスライダが互いに離間してシート本体の左右の側壁部の方向に引き寄せることが可能な引き寄せ手段を有し、前記引き寄せ手段の実施によるスライダの移動によって前記サイドベルトに配置された前記左右一対のバックル接続具が互いに離間してシート本体の左右の側壁部の方向に移動可能に構成されることを特徴とする子供用シートの拘束装置。
【請求項２】
前記引き寄せ手段は、前記左右一対のスライダに一方の端部が夫々接続される左右一対の紐状部材と、前記左右一対の紐状部材の夫々の他方側に設けられた紐移動手段を含み、前記紐移動手段の実施によって前記左右一対のスライダが互いに離間しシート本体の左右の側壁部の上方位置に向かって移動可能に構成され、更に、前記紐移動手段の実施時に前記スライダが前記バックル接続具と当接する様に構成されることを特徴とする請求項１記載の子供用シートの拘束装置。
【請求項３】
前記紐移動手段が、手動による前記左右一対のスライダの引き寄せ動作が可能な引き寄せ操作部を有することを特徴とする請求項２記載の子供用シートの拘束装置。
【請求項４】
前記スライダのシート本体の左右の側壁部の上方位置への引き寄せ状態を維持可能な紐保持手段を有することを特徴とする請求項１〜３の何れか１項記載の子供用シートの拘束装置。
【請求項５】
前記紐移動手段が、前記左右一対のスライダの引き寄せ動作が可能な様に前記紐状部材が伸縮部を有することを特徴とする請求項２記載の子供用シートの拘束装置。
【請求項６】
前記紐移動手段が、前記左右一対のスライダの引き寄せ動作が可能な様に前記紐状部材の他方に接続された巻取装置を有することを特徴とする請求項２記載の子供用シートの拘束装置。
【請求項７】
前記紐移動手段の引き寄せ動作を制御する引き寄せ制御機構を有することを特徴とする請求項５または６記載の子供用シートの拘束装置。
【請求項８】
左右一対の前記紐状部材の他方同士が連結され、１つの引き寄せ手段によって左右夫々の紐状部材を同時に引き寄せ可能に構成されることを特徴とする請求項２〜７の何れか１項記載の子供用シートの拘束装置。
【請求項９】
子供が着座するシート本体と前記シート本体に着座した子供を拘束する拘束装置とを有し、前記シート本体は座面中央部に形成された股ベルト突出部と背面の左右位置に離間して形成された左右一対の肩ベルト突出部とを有し、前記拘束装置は前記股ベルト突出部から突出し一端がシート本体に固定される股ベルトと前記股ベルトの他端に固定されるバックルと前記肩ベルト突出部から突出し一端がシート本体に固定される左右一対の肩ベルトと前記左右一対の肩ベルトの他端に固定される左右一対のバックル接続具とを有する子供用シートの拘束装置において、前記左右一対の肩ベルトの前記肩ベルト突出部の位置とバックル接続具の固定位置との間に配置され前記肩ベルトに対する配置位置が移動可能に構成される左右一対のスライダと、前記肩ベルトに配置された前記左右一対のスライダが互いに離間してシート本体の左右の側壁部方向に引き寄せることが可能な引き寄せ手段を有し、前記引き寄せ手段の実施によるスライダの移動によって前記肩ベルトに配置された前記左右一対のバックル接続具が互いに離間してシート本体の左右の側壁部方向に移動可能に構成されることを特徴とする子供用シートの拘束装置。
【請求項１０】
前記引き寄せ手段は、前記左右一対のスライダに一方の端部が接続される左右一対の紐状部材と、前記左右一対の紐状部材の他方側に設けられた紐移動手段を含み、前記紐移動手段の実施によって、前記左右一対のスライダが互いに離間しシート本体の左右の側壁部の上方位置に向かって移動可能に構成される共に、前記スライダの移動に伴い左右一対の前記バックル接続具が互いに離間しシート本体の左右の側壁部の上方位置に向かって移動可能に構成されることを特徴とする請求項９記載の子供用シートの拘束装置。
【請求項１１】
前記紐移動手段が、前記左右一対のスライダの引き寄せ動作が可能な様に前記紐状部材の他方に形成された引き寄せ操作部を有することを特徴とする請求項１０記載の子供用シートの拘束装置。
【請求項１２】
前記スライダのシート本体の左右の側壁部の上方位置への引き寄せ状態を維持可能な紐保持手段を有することを特徴とする請求項９〜１１の何れか１項記載の子供用シートの拘束装置。
【請求項１３】
前記紐移動手段が、前記左右一対のスライダの引き寄せ動作が可能な様に前記紐状部材が伸縮部を有することを特徴とする請求項１０記載の子供用シートの拘束装置。
【請求項１４】
前記紐移動手段が、前記左右一対のスライダの引き寄せ動作が可能な様に前記紐状部材の他方に接続された巻取り装置を有することを特徴とする請求項１０記載の子供用シートの拘束装置。
【請求項１５】
前記紐移動手段の作動を制御する引き寄せ制御機構を有することを特徴とする請求項１３または１４記載の子供用シートの拘束装置。
【請求項１６】
左右一対の前記紐状部材の他方同士が連結され、１つの引き寄せ手段で左右夫々の紐状部材を同時に引き寄せ可能に構成されることを特徴とする請求項９〜１５の何れか１項記載の子供用シートの拘束装置。
【発明の詳細な説明】
【技術分野】
【０００１】
本発明は、自動車用チャイルドシート、自動車用ベビーベッド、またはベビーカー等の子供用シートの拘束装置に関する。
【背景技術】
【０００２】
自動車用チャイルドシートの左右の子供拘束用ベルトに夫々設けられた互いに接続可能な留め具が、バネ式スプールを有する伸長可能構成された紐を介して夫々チャイルドシート本体の側壁部に接続され、事前にチャイルドシートの左右方向に対して互いの留め具の間隔を開けておくことによって、チャイルドシートに対する子供の配置を容易にする技術として米国特許公開２００５／０１７９２８９が公知である。
【０００３】
また、自動車用チャイルドシートの子供拘束用ベルトの左右の留め具がバックルとの非接続状態において、左右のベルトに夫々設けられたスプリングによって、夫々の留め具がチャイルドシート本体の側壁部方向に附勢され、事前にチャイルドシートの左右方向に対して互いの留め具の間隔を開けておくことによって、チャイルドシートに対する子供の配置を容易にする技術として米国特許７４４５２８６が公知である。
【０００４】
また、自動車用チャイルドシートの左右の子供拘束用ベルトに、一方にループ状のベルト通しが形成され他方に面ファスナーやスナップボタン等の結合手段が形成された布を通し、チャイルドシート本体のカバー上のベルト回避場所に前記布を着脱可能に構成することによって、ベルトがチャイルドシート本体座席部や乳幼児の上に戻るのを防ぎ、更に乳幼児に引っかかるのを防ぐ技術として特開２００１−１５８２６１が公知である。
【０００５】
また、自動車用チャイルドシート本体のベルト回避場所に磁石を固定し、チャイルドの左右の子供拘束用ベルトに夫々配置された留め具を前記磁石に接触させることによって前記ベルト回避場所に留め具を固定する技術として特開２００１−１５８２６３が公知である。
【０００６】
更に、自動車用チャイルドシート本体とシートベルト（ベルトカバーの内部を含む）の、いずれか一方に配置された第１の磁石と、いずれか他方における前記第１の磁石に対応する位置に配置された第２の磁石又は磁性体を備え、非固定状態のシートベルトを着座空間の妨げにならないように保持する技術として特開２００８−２９０５８７が公知である。
【先行技術文献】
【特許文献】
【０００７】
【特許文献１】米国特許公開２００５／０１７９２８９号公報
【特許文献２】米国特許７４４５２８６号公報
【特許文献３】特開２００１−１５８２６１号公報
【特許文献４】特開２００１−１５８２６３号公報
【特許文献５】特開２００８−２９０５８７号公報
【発明の概要】
【発明が解決しようとする課題】
【０００８】
本発明は、自動車用チャイルドシートや、自動車用ベビーベッド、およびベビーカー等の子供用シートに子供を乗せる際に、拘束装置のバックル接続具が子供の下敷きになることを防止するものであり、子供用シートに子供を乗せる前に予め子供拘束装置の左右一対のバックル接続具が互いに離間しシート本体の左右部分に形成された側壁部方向に向かって移動し、子供の非干渉位置に保持可能に構成することを課題とする。
【０００９】
更に、前記バックル接続具を股ベルトの端部に固定されたバックルに結合させる際の作業性を向上させるために、前記引き寄せ手段によって、前記バックル接続具がシート本体の左右部分に形成された側壁部の上方に保持可能に構成することを課題とする。
【００１０】
更に、子供用シートに子供を乗せ、子供用の拘束装置を装着した状態において拘束装置のベルトに有害な負荷が作用しないことを課題とする。
【課題を解決するための手段】
【００１１】
本発明の子供用シートの拘束装置は、子供が着座するシート本体と前記シート本体に着座した子供を拘束する拘束装置とを有し、前記シート本体は座面中央部に形成された股ベルト突出部と座面の左右位置に離間して形成された左右一対の腰ベルト突出部と背面の左右位置に離間して形成された左右一対の肩ベルト突出部とを有し、前記拘束装置は前記股ベルト突出部から突出し一端がシート本体に固定される股ベルトと前記股ベルトの他端に固定されるバックルと前記腰ベルト突出部と前記肩ベルト突出部間に配置され両端が夫々シート本体に固定される左右一対のサイドベルトと前記左右一対のサイドベルトの前記腰ベルト突出部の位置と前記肩ベルト突出部の位置との間に配置され前記サイドベルトに対する配置位置が移動可能に構成される左右一対のバックル接続具を有する子供用シートの拘束装置において、前記左右一対のサイドベルトの腰ベルト突出部の位置とバックル接続具の配置位置との間に配置され前記サイドベルトに対する配置位置が移動可能に構成される左右一対のスライダと、前記サイドベルトに配置された前記左右一対のスライダが互いに離間してシート本体の左右の側壁部の方向に引き寄せることが可能な引き寄せ手段を有し、前記引き寄せ手段の実施によるスライダの移動によって前記サイドベルトに配置された前記左右一対のバックル接続具が互いに離間してシート本体の左右の側壁部の方向に移動可能に構成されることを特徴とする。
【００１２】
更に、前記引き寄せ手段は、前記左右一対のスライダに一方の端部が夫々接続される左右一対の紐状部材と、前記左右一対の紐状部材の夫々の他方側に設けられた紐移動手段を含み、前記紐移動手段の実施によって前記左右一対のスライダが互いに離間しシート本体の左右の側壁部の上方位置に向かって移動可能に構成され、更に、前記紐移動手段の実施時に前記スライダが前記バックル接続具と当接する様に構成すると良い。
【００１３】
更に、前記紐移動手段が、手動による前記左右一対のスライダの引き寄せ動作が可能な引き寄せ操作部を有すると良い。
【００１４】
更に、前記スライダのシート本体の左右の側壁部の上方位置への引き寄せ状態を維持可能な紐保持手段を有すると良い。
【００１５】
また、前記紐移動手段が、前記左右一対のスライダの引き寄せ動作が可能な様に前記紐状部材が伸縮部を有する様に構成しても良い。
【００１６】
また、前記紐移動手段が、前記左右一対のスライダの引き寄せ動作が可能な様に前記紐状部材の他方に接続された巻取装置を有する様に構成しても良い。
【００１７】
更に、前記紐移動手段の引き寄せ動作を制御する引き寄せ制御機構を有すると良い。
【００１８】
更に、前記左右一対の紐状部材の他方同士が連結され、１つの引き寄せ手段によって左右夫々の紐状部材を同時に引き寄せ可能に構成しても良い。
【００１９】
本発明の子供用シートの拘束装置は、子供が着座するシート本体と前記シート本体に着座した子供を拘束する拘束装置とを有し、前記シート本体は座面中央部に形成された股ベルト突出部と背面の左右位置に離間して形成された左右一対の肩ベルト突出部とを有し、前記拘束装置は前記股ベルト突出部から突出し一端がシート本体に固定される股ベルトと前記股ベルトの他端に固定されるバックルと前記肩ベルト突出部から突出し一端がシート本体に固定される左右一対の肩ベルトと前記左右一対の肩ベルトの他端に固定される左右一対のバックル接続具とを有する子供用シートの拘束装置において、前記左右一対の肩ベルトの前記肩ベルト突出部の位置とバックル接続具の固定位置との間に配置され前記肩ベルトに対する配置位置が移動可能に構成される左右一対のスライダと、前記肩ベルトに配置された前記左右一対のスライダが互いに離間してシート本体の左右の側壁部方向に引き寄せることが可能な引き寄せ手段を有し、前記引き寄せ手段の実施によるスライダの移動によって前記肩ベルトに配置された前記左右一対のバックル接続具が互いに離間してシート本体の左右の側壁部方向に移動可能に構成されることを特徴とする。
【００２０】
更に、前記引き寄せ手段は、前記左右一対のスライダに一方の端部が接続される左右一対の紐状部材と、前記左右一対の紐状部材の他方側に設けられた紐移動手段を含み、前記紐移動手段の実施によって、前記左右一対のスライダが互いに離間しシート本体の左右の側壁部の上方位置に向かって移動可能に構成される共に、前記スライダの移動に伴い左右一対の前記バックル接続具が互いに離間しシート本体の左右の側壁部の上方位置に向かって移動可能に構成されることを特徴とする。
【００２１】
更に、前記紐移動手段が、前記左右一対のスライダの引き寄せ動作が可能な様に前記紐状部材の他方に形成された引き寄せ操作部を有すると良い。
【００２２】
更に、前記スライダのシート本体の左右の側壁部の上方位置への引き寄せ状態を維持可能な紐保持手段を有すると良い。
【００２３】
また、前記紐移動手段が、前記左右一対のスライダの引き寄せ動作が可能な様に前記紐状部材が伸縮部を有する様に構成しても良い。
【００２４】
また、前記紐移動手段が、前記左右一対のスライダの引き寄せ動作が可能な様に前記紐状部材の他方に接続された巻取り装置を有する様に構成しても良い。
【００２５】
更に、前記紐移動手段の作動を制御する引き寄せ制御機構を有すると良い。
【００２６】
更に、前記左右一対の紐状部材の他方同士が連結され、１つの引き寄せ手段で左右夫々の紐状部材を同時に引き寄せ可能に構成しても良い。
【発明の効果】
【００２７】
請求項１および請求項９記載の本発明によれば、引き寄せ手段の操作によって、サイドベルト（請求項９では肩ベルト）に対して左右一対のスライダを夫々シート本体の左右の側壁部方向に引き寄せられ、前記引き寄せ手段の実施によって前記スライダが前記バックル接続具と当接する様に構成される事によって、引き寄せ手段によるスライダの移動によってサイドベルト（請求項９では肩ベルト）に配置された左右一対のバックル接続具が互いに離間してシート本体の左右の側壁部方向に移動する構成であるため、バックル接続具は引き寄せ手段と直接接続されていないので、バックル接続具自体に引き寄せ手段からの力が直接作用する事が無く操作性を向上させることが出来、更に請求項１に記載の本発明によれば、シート本体に着座した子供を拘束装置によって拘束した状態において、スライダがバックル接続具から分離して左右一対のスライダが腰ベルト突出部側に移動するため、引き寄せ手段を子供の手の届き難い位置に移動させいたずらや引き寄せ手段による事故を防止する事ができ、また、バックル接続具やサイドベルトに対して引き寄せ手段による重量や引き寄せ手段からの引き寄せ力が作用する事を防止することができるので、サイドベルトの余分な撓みの発生を軽減し、ベルトの撓みに起因する衝突時の子供の移動量の増加を抑えることができる。また、スライダが移動する腰ベルト突出部位置は、シート本体に子供が着座した状態で子供の臀部との干渉が少ない位置であるため、子供がスライダに接触することに起因する違和感の発生を極力防止することができる効果を有する。
【００２８】
請求項２および請求項１０記載の本発明によれば、引き寄せ手段が、スライダの一方の端部に夫々接続された紐状部材と紐状部材の他方側に夫々設けられた紐移動手段からなる簡単な構造でありながら、この紐移動手段の実施によるスライダの移動によって、バックル接続具を最も使用者（子供の保護者等）が掴みやすい位置に移動させた状態を、紐保持手段によって維持することができる効果を有する。
【００２９】
請求項３および請求項１１記載の本発明によれば、紐移動手段が、紐状部材の他方に形成された引き寄せ操作部を有することにより、操作に不慣れなユーザーであっても簡単かつ確実に、バックル接続具をもっとも使用者（子供の保護者等）が掴みやすい位置に配置することができる効果を有する。
【００３０】
請求項４および請求項１２記載の本発明によれば、スライダのシート本体の左右の側壁部の上方位置への移動状態を維持可能な紐保持手段を設ける事によって、使用者が前記引き寄せ手を操作した後に、引き寄せ手段から手を放しても、前記左右一対のバックル接続具が互いに離間してシート本体の左右の側壁部の方向に移動した状態を維持する事が出来、子供をシートから降ろした後に、再度シートに乗せる際にバックル接続具が邪魔にならず、良好な作業性を維持する事ができる。
【００３１】
請求項５および請求項１３記載の本発明によれば、紐移動手段が、紐状部材に設けられた伸縮部材を有することにより簡単な構造にもかかわらず、使用者（子供の保護者等）がバックルに対するバックル接続具の係合状態を解除するだけで、バックル接続具をもっとも使用者（子供の保護者等）が掴みやすい位置に配置し、更にその状態を維持することができる効果を有する。
【００３２】
請求項６および請求項１４記載の本発明によれば、紐移動手段が、紐状部材の他方に接続された巻取り装置を有することにより、信頼性の高い機構により、使用者（子供の保護者等）がバックルに対するバックル接続具の係合状態を解除するだけで、バックル接続具を、最も使用者（子供の保護者等）が掴みやすい位置に配置し、更にその状態を維持することができる効果を有する。
【００３３】
請求項７および請求項１５記載の本発明によれば、紐移動手段の作動を制御する引き寄せ制御機構を有することによって、引き寄せ手段による引き寄せ動作を制御することが可能となるため、シート本体に着座した子供を拘束装置によって拘束した状態において、引き寄せ手段が拘束装置に不要な力を付加して悪影響を与えることを防止することができる効果を有する。
【００３４】
請求項８および請求項１６記載の本発明によれば、前記左右一対の紐状部材の他方同士が連結され、１つの引き寄せ手段で左右夫々の紐状部材を同時に引き寄せ可能に構成されるため、紐移動手段が紐状部材の他方に形成された引き寄せ操作部からなる場合は、1箇所の引き寄せ操作部の操作で左右の引き寄せ手段を動作させることができ、また、紐移動手段が紐状部材に設けられた伸縮部材を有する場合、または、紐移動手段が紐状部材の他方に接続された巻取り装置を有する場合は、夫々、伸縮部材、または、巻取り装置を1つにすることができ、部品コストを低減することができる効果を有する。
【図面の簡単な説明】
【００３５】
【図１】本発明の第１実施例に係わる拘束装置の結合状態を示す斜視図である。
【図２】本発明の第１実施例に係わる引き寄せ手段の実行状態を示す斜視図である。
【図３】本発明の第１実施例に係わる引き寄せ手段の実施完了を示す正面図である。
【図４】本発明の第１実施例に係わる拘束装置の結合状態を示す要部拡大図である。
【図５】本発明の第１実施例に係わる引き寄せ手段の実施前の状態を示す要部拡大図である。
【図６】本発明の第１実施例に係わる引き寄せ手段の実施完了状態を示す要部拡大図である。
【図７】本発明の第１実施例の変形例を示す斜視図である。（引き寄せ手段の配置位置を肩ベルト突出部横の側壁部上方位置に配置）
【図８】本発明の第１実施例の変形例を示す斜視図である。（ベビーカーに使用した状態）
【図９】本発明の第２実施例に係わる引き寄せ手段の実行状態を示す斜視図である。
【図１０】本発明の第３実施例に係わる拘束装置の結合状態を示す斜視図である。
【図１１】本発明の第４実施例に係わる引き寄せ手段の実行状態を示す斜視図である。
【図１２】本発明の第５実施例に係わる引き寄せ手段の実行状態を示す斜視図である。
【図１３】本発明の第６実施例に係わる引き寄せ手段の実行状態を示す斜視図である。
【発明を実施するための形態】
【００３６】
以下に、本発明の実施例を図面に基づいて説明する。
【実施例１】
【００３７】
実施例１において図１は拘束装置の結合状態を示す斜視図、図２は引き寄せ手段の実行状態を示す斜視図、図３は引き寄せ手段の実施完了を示す正面図、図４は拘束装置の結合状態を示す要部拡大図、図５は引き寄せ手段の実施前の状態を示す要部拡大図、図６は本発明の第１実施例に係わる引き寄せ手段の実施完了状態、図７は引き寄せ手段の配置位置を肩ベルト突出部横の側壁部上方位置に配置した第１実施例の変形例を示す斜視図、図８はベビーカーに使用した第１実施例の変形例を示す斜視図である。
【００３８】
実施例１において、図１〜図６に示す様に、本発明の子供用シートの拘束装置は、子供が着座するシート本体１と、前記シート本体１に着座した子供を拘束する拘束装置２とを有し、前記シート本体１は座面中央部に形成された股ベルト突出部１１と座面の左右位置に離間して形成された左右一対の腰ベルト突出部１２と背面の左右位置に離間して形成された左右一対の肩ベルト突出部１３とを有し、前記拘束装置２は前記股ベルト突出部１１から突出し一端がシート本体１に固定される股ベルト２１と前記股ベルト２１の他端に固定されるバックル２２と前記腰ベルト突出部１２と前記肩ベルト突出部１３間に配置され両端が夫々シート本体１に固定される左右一対のサイドベルト２３と前記左右一対のサイドベルト２３の前記腰ベルト突出部１２の位置と前記肩ベルト突出部１３の位置の間に配置され前記サイドベルト２３に対する配置位置が移動可能に構成される左右一対のバックル接続具２４を有する子供用シートの拘束装置において、前記左右一対のサイドベルト２３の腰ベルト突出部１２の位置とバックル接続具２４の位置との間に配置され前記サイドベルト２３に対する配置位置が移動可能に構成される左右一対のスライダ４１と、前記サイドベルト２３に配置された前記左右一対のスライダ４１が互いに離間してシート本体１の左右の側壁部３の方向に引き寄せることが可能な引き寄せ手段４を有し、前記引き寄せ手段４の実施によるスライダ４１の移動によって前記サイドベルト２３に配置された前記左右一対のバックル接続具２４が互いに離間してシート本体１の左右の側壁部３の方向に移動可能に構成される。
【００３９】
前記バックル接続具２４は、前記バックル２２に接続可能なタング部２４１と前記サイドベルト２３を挿通可能なベルト挿通孔２４２とを有し、前記左右一対のスライダ４１は夫々前記サイドベルト２３を挿通可能なベルト挿通孔４１１と紐固定孔４１２を有する。
【００４０】
そして前記引き寄せ手段４は、左右一対の紐状部材４２を有し、前記左右一対のスライダ４１に形成された紐固定孔４１２に前記左右一対の紐状部材４２の一方の端部が夫々接続され、前記左右一対の紐状部材４２の他方側に合成樹脂等の硬質な握り部４３１を有するループ状の引き寄せ操作部４３が配置され、更に前記シート本体１の左右の側壁部３の上方位置（縁部）には前記紐状部材４２が挿通可能な孔３２が設けられる事によって紐移動手段が構成される。尚、前記孔３２の配置位置は図７に示す様に、前記シート本体１の左右の側壁部３の上方位置（縁部）であれば良く、使用者の作業性を考慮して、適切な位置を自由に設定する事が出来る。
【００４１】
使用者（子供の保護者等）が前記引き寄せ操作部４３を引っ張る事によって、前記左右一対のスライダ４１は、前記ベルト挿通孔４１１に通された前記サイドベルト２３に対して摺動しながら互いに離間し、シート本体１の左右の側壁部３の上方位置（縁部）に向かって移動可能な様に構成される。尚、本発明の引き寄せ操作部４３は上記ループ状の引き寄せ操作部４３に限定されず単なる紐状部材４２の結び目や棒状の握り部でも良く、更にこの様な握り部は既存の技術を利用して自由に形状を設定する事が出来る。
【００４２】
そして、上述の様に、左右一対のスライダ４１が互いに離間してシート本体１の左右部分に形成された側壁部３の上方位置（縁部）に向かって移動する際に、前記スライダ４１が前記左右一対のバックル接続具２４と当接する様に構成される事により、前記スライダ４１の移動に連動してバックル接続具２４が互いに離間すると共にシート本体１の左右部分に形成された側壁部３の上方位置（縁部）に向かって移動する様に構成される。
【００４３】
更に、本実施例においては、左右一対の前記スライダ４１のシート本体１の左右の側壁部３の上方位置（縁部）への移動状態を維持可能な紐保持手段５を有し、この紐保持手段５は、前記シート本体１の左右の側壁部３の上方位置の縁部に設けた前記紐状部材４２の挿通部３１を有し、この挿通部３１は伸縮性を有する縫製カバー３１に設けた孔３２よりなり、この孔３２の内径を紐状部材４２の外形よりも小さく形成することによって、孔３２に対する紐状部材４２の移動の際に摩擦抵抗が生じる様に構成され、前記摩擦抵抗によって前記左右一対のスライダ４１を互いに離間する方向に移動した状態が維持可能になる様に、縫製カバー３１の材質、縫製カバー３１の孔３２の内径、紐状部材４２の外形を既存の技術を用いて適切に設定することによって、紐保持手段５が構成される。なお、本実施例においては縫製カバー３１の材質は  ○○の裏面に発砲倍率％のウレタンをラミネート加工したものであり、孔の内径は○○ｍｍに形成され、紐状部材４２の材質は  ○○からなり、外径寸法は○○ｍｍである。なお、前記紐保持手段５の摩擦抵抗部を発生させるための構造は、本実施例に限定させず、適切な摩擦抵抗パットや、弾性構造等既存の技術を利用することができ、更に摩擦抵抗以外の既存の機械的なロック機構を用いて左右一対の前記スライダ４１を互いに離間する方向に移動した状態を維持可能に構成しても良い。
【００４４】
なお、本発明の子供用シートのシート本体に子供が着座し、前記拘束装置２によって子供を拘束する場合は、前記バックル接続具２４をバックル２２に接続するために、使用者（子供の保護者等）が、前記スライダ４１の引き寄せ手段４によってシート本体１の左右部分に形成された側壁部３の上方位置（縁部）に保持された左右一対のバックル接続具２４を、前記バックル２２の方向に向かって引っ張り、前記紐保持手段５の摩擦抵抗力よりも大きな引張力が紐状部材４２に作用させる事によって、容易に左右一対のバックル接続具２４をバックル２２の位置まで移動させる事が出来る。このバックル接続具２４がバックル方向に移動する工程において、スライダ４１はバックル接続具２４から離間して腰ベルト突出部１２に向かって移動を開始し、その際のスライダ４１の移動距離が、バックル接続具２４の（バックル２２までの）移動距離よりも小さいく構成される事によりバックル接続具２４の引っ張り動作は前記紐保持手段５の保持力よりも小さい力で前記紐保持手段５から紐状部材４２を引き出す事が可能になる。
【００４５】
本実施例の構造は前記の通り紐状部材４２が直接バックル接続具２４に接続されていないため、前記バックル２２に左右一対のバックル接続具２４を接続して、前記シート本体１に着座した子供を拘束装置２によって拘束した状態においては、サイドベルト２３の下方部が腰ベルト突出部１２の位置に向かって傾斜するため、自重によって前記左右一対のスライダ４１が腰ベルト突出部１２の位置に自動的に移動し、サイドベルト２３に不要な負荷が作用してサイドベルト２３に撓みが出て適切な拘束状態が阻害されることを防止することができる。
【００４６】
更に、左右一対の前記紐状部材４２の他方同士を連結させ、1つにまとめて構成すれば、引き寄せ手段４が１つの引き寄せ操作部４３を使用者（子供の保護者等）が引っ張ることにより、左右夫々の紐状部材４２を同時に引き寄せ可能な構造にすることができる。
【００４７】
尚、本発明の子供用シートの拘束装置の利用用途は、シートに子供を乗せた際に拘束装置によって子供を拘束するものであれば、本発明の技術を利用する対象物は限定されず、自動車用チャイルドシートや自動車用ベビーベッド以外に、図８に示す様にベビーカーに用いても良く、また、遊具等のシートに利用しても良い。本発明はシートに子供を乗せた際に拘束装置のバックル接続具が子供の下敷きになることを防止し、子供をシートに子供を乗せる前に予め子供拘束装置の左右一対のバックル接続具が互いに離間しシート本体の左右部分に形成された側壁部方向に向かって移動し、子供の非干渉位置に保持する事ができる。
【実施例２】
【００４８】
実施例２において図９は引き寄せ手段の実行状態を示す斜視図である。図９に示す様に、本実施例の子供用シートの拘束装置は、子供が着座するシート本体１と、前記シート本体１に着座した子供を拘束する拘束装置２とを有し、前記シート本体１は座面中央部に形成された股ベルト突出部１１と座面の左右位置に離間して形成された左右一対の腰ベルト突出部１２と背面の左右位置に離間して形成された左右一対の肩ベルト突出部１３とを有し、前記拘束装置２は前記股ベルト突出部１１から突出し一端がシート本体１に固定される股ベルト２１と前記股ベルト２１の他端に固定されるバックル２２と前記腰ベルト突出部１２と前記肩ベルト突出部１３の間に配置され両端が夫々シート本体１に固定される左右一対のサイドベルト２３と前記左右一対のサイドベルト２３の前記腰ベルト突出部１２の位置と前記肩ベルト突出部１３の位置の間に配置され前記サイドベルト２３に対する配置位置が移動可能に構成される左右一対のバックル接続具２４を有する子供用シートの拘束装置２において、前記左右一対のサイドベルト２３の腰ベルト突出部１２の位置とバックル接続具２４の配置位置との間に配置され前記サイドベルト２３に対する配置位置が移動可能に構成される左右一対のスライダ４１と、前記サイドベルト２３に配置された前記左右一対のスライダ４１が互いに離間してシート本体１の左右の側壁部３方向に引き寄せることが可能な引き寄せ手段４を有し、前記引き寄せ手段４の実施によるスライダ４１の移動によって前記サイドベルト２３に配置された前記左右一対のバックル接続具２４が互いに離間してシート本体１の左右の側壁部３の方向に移動可能に構成される。
【００４９】
前記バックル接続具２４は、前記バックル２２に接続可能なタング部２４１と前記サイドベルト２３を挿通可能なベルト挿通孔２４２とを有し、前記左右一対のスライダ４１は、夫々前記サイドベルト２３を挿通可能なベルト挿通孔４１１と紐固定部４１２を有する。
【００５０】
そして前記引き寄せ手段４は、左右一対の紐状部材４２を有し、前記左右一対のスライダ４１に形成された紐固定孔４１２に前記左右一対の紐状部材４２の一方の端部が夫々接続され、前記紐状部材４２の他方に弾性部材からなる伸縮部４４の一端が接続され、前記伸縮部４４の他端はシート本体１に固定され（他の部品を介して間接的にシート本体１に固定しても良い）、前記シート本体１の左右の側壁部３の上方位置（縁部）に前記紐状部材４２が挿通する孔３２を設けることによって紐移動手段が構成される。尚、本実施例ではゴム状の弾性部材からなる伸縮部４４を用いているが、バネ等、他の既存の弾性部材を用いても良く、また、前記紐状部材４２自体が伸縮性を有する材料で構成されても良い。
【００５１】
使用者（子供の保護者等）が、前記バックル２２に対して左右一対のバックル接続具２４の接続を解除すると、前記引き寄せ手段４によって、前記左右一対のスライダ４１は、前記ベルト挿通孔４１１に通された前記サイドベルト２３に対して摺動しながら互いに離間し、シート本体１の左右の側壁部３の上方位置（縁部）に向かって移動する様に構成されている。
【００５２】
そして、上述の様に、左右一対のスライダ４１が互いに離間してシート本体１の左右部分に形成された側壁部３の上方位置（縁部）に向かって移動する際に、前記スライダ４１が前記左右一対のバックル接続具２４と当接する様に構成される事により、前記スライダ４１の移動に連動してバックル接続具２４が互いに離間すると共にシート本体１の左右部分に形成された側壁部３の上方位置（縁部）に向かって移動する様に構成される。
【００５３】
更に、本実施例においては、前記伸縮部４４の張力によって、左右一対のスライダ４１が互いに離間する方向に移動する前記引き寄せ手段４を無効化することが出来る様に、前記シート本体１の左右の側壁部３の上方位置（縁部）に設けた前記紐状部材４２が挿通する孔３２部分には引き寄せ手段４による紐状部材４２の移動が可能な状態と移動が不可能な状態との切り替えが可能に構成された引き寄せ制御機構６が設けられる。尚、この引き寄せ制御機構６は既存の紐状部材４２の固定技術を利用して適切に設計する事ができる。
【００５４】
そして、本発明の子供用シートのシート本体１に子供が着座し、前記拘束装置２によって子供を拘束する場合は、前記バックル接続具２４をバックル２２に接続するために、使用者（子供の保護者等）が、前記スライダ４１の引き寄せ手段４によってシート本体１の左右部分に形成された側壁部３の上方位置（縁部）に保持された左右一対のバックル接続具２４を、前記バックル２２の方向に向かって引っ張り、前記伸縮部４４による張力よりも大きな引張力を紐状部材４２に作用させる事によって、左右一対のバックル接続具２４をバックル２２の位置まで移動させる事が出来る。このバックル接続具２４がバックル方向に移動する工程において、スライダ４１はバックル接続具２４から離間して腰ベルト突出部１２に向かって移動を開始し、その際のスライダ４１の移動距離が、バックル接続具２４の（バックルまでの）移動距離よりも小さく構成される事により、バックル接続具２４の引っ張り動作は前記伸縮部４４による張力よりも小さい力で前記引き寄せ手段４から紐状部材４２を引き出す事が可能になる。
【００５５】
本実施例の構造は前記の通り紐状部材４２が直接バックル接続具２４に接続されていないため、前記バックル２２に左右一対のバックル接続具２４を接続して、前記シート本体１に着座した子供を拘束装置２によって拘束した状態において、前記引き寄せ制御機構６によって、チャイルドシトート使用時に伸縮部４４による引き寄せ手段４の張力を遮断すれば、サイドベルト２３の下方部が腰ベルト突出部１１の位置に向かって傾斜するため、前記左右一対のスライダ４１が腰ベルト突出部１１の位置に自動的に移動し、サイドベルト２３に不要な負荷が作用してサイドベルト２３が撓み、適切な拘束状態が阻害されることを防止することができる。
【００５６】
更に、前記左右一対の紐状部材４２の他方同士を連結し伸縮部４４の一端を接続し、前記伸縮部４４の他端をシート本体１に直接または間接的に固定することによって紐状部材４２の、引き寄せ手段４に設けられた１つの前記伸縮部４４によって左右夫々の紐状部材４２を同時に引き寄せ可能な構造にすることができる。
【実施例３】
【００５７】
実施例３において図１０は拘束装置の結合状態を示す斜視図である。図１０に示す様に、本実施例の子供用シートの拘束装置は、子供が着座するシート本体１と、前記シート本体１に着座した子供を拘束する拘束装置２とを有し、前記シート本体１は座面中央部に形成された股ベルト突出部１１と座面の左右位置に離間して形成された左右一対の腰ベルト突出部１２と背面の左右位置に離間して形成された左右一対の肩ベルト突出部１３とを有し、前記拘束装置２は前記股ベルト突出部１１から突出し一端がシート本体１に固定される股ベルト２１と前記股ベルト２１の他端に固定されるバックル２２と前記腰ベルト突出部１２と前記肩ベルト突出部１３の間に配置され両端が夫々シート本体１に固定される左右一対のサイドベルト２３と前記左右一対のサイドベルト２３の前記腰ベルト突出部１２の位置と前記肩ベルト突出部１３の位置の間に配置され前記サイドベルト２３に対する配置位置が移動可能に構成される左右一対のバックル接続具２４を有する子供用シートの拘束装置において、前記左右一対のサイドベルト２３の腰ベルト突出部１２の位置とバックル接続具２４の配置位置との間に配置され前記サイドベルト２３に対する配置位置が移動可能に構成される左右一対のスライダ４１と、前記サイドベルト２３に配置された前記左右一対のスライダ４１が互いに離間してシート本体の左右の側壁部３の方向に引き寄せることが可能な引き寄せ手段４を有し、前記引き寄せ手段４の実施によるスライダ４１の移動によって前記サイドベルト２３に配置された前記左右一対のバックル接続具２４が互いに離間してシート本体１の左右の側壁部３の方向に移動可能に構成される。
【００５８】
前記バックル接続具２４は、前記バックル２２に接続可能なタング部２４１と前記サイドベルト２３を挿通可能なベルト挿通孔２４２とを有し、左右一対の前記スライダ４１は、夫々前記サイドベルト２３を挿通可能なベルト挿通孔４１１と紐固定部４１２を有する。
【００５９】
そして前記引き寄せ手段４は、左右一対の紐状部材４２を有し、前記左右一対のスライダ４１に形成された紐固定孔４１２に前記左右一対の紐状部材４２の一方の端部が夫々接続され、前記紐状部材４２の他方は巻取り装置４５の巻取り部に接続され、前記巻取り装置４５が前記シート本体１の左右の側壁部３の上方位置（縁部）に固定される事によって紐移動手段が構成される。尚、前記巻取り装置４５は内部にゴムやバネ等の弾性部材が配置され、前記紐状部材４２を所定の範囲の張力で巻取り装置のケース内に巻き取り可能に構成される。（巻き取り装置は既存の技術を用いて適切に設計する事ができる）
【００６０】
使用者（子供の保護者等）が、前記バックル２２に対して左右一対のバックル接続具２４の接続を解除すると、前記引き寄せ手段４によって、前記左右一対のスライダ４１は、前記ベルト挿通孔４１１に通された前記サイドベルト２３に対して摺動しながら互いに離間し、シート本体１の左右の側壁部３の上方位置（縁部）に向かって移動する様に構成されている。
【００６１】
そして、上述の様に、左右一対のスライダ４１が互いに離間してシート本体１の左右部分に形成された側壁部３の上方位置（縁部）に向かって移動する際に、前記スライダ４１が前記左右一対のバックル接続具２４と当接する様に構成される事により、前記スライダ４１の移動に連動してバックル接続具２４が互いに離間すると共にシート本体１の左右部分に形成された側壁部３の上方位置（縁部）に向かって移動する様に構成される。
【００６２】
更に、本実施例においては、前記巻取り装置４５の巻取り力によって、左右一対のスライダ４１が互いに離間する方向に移動する前記引き寄せ手段４を無効化することが出来る様に、前記巻取り装置４５には前記引き寄せ手段４による紐状部材４２の移動が可能な状態と移動が不可能な状態との切り替えが可能に構成された引き寄せ制御機構６が設けられる。尚、この引き寄せ制御機構６は巻取り装置４５とは別体で設けても良く、既存の紐状部材の固定技術を利用して適切に設計する事ができる。
【００６３】
そして、本発明の子供用シートのシート本体１に子供が着座し、前記拘束装置２によって子供を拘束する場合は、前記バックル接続具２４をバックル２２に接続するために、使用者（子供の保護者等）が、予め前記スライダ４１の引き寄せ手段４によってシート本体１の左右部分に形成された側壁部３の上方位置（縁部）に保持された左右一対のバックル接続具２４を、前記バックル２２の方向に向かって引っ張り、前記巻取り装置４５による巻取り力よりも大きな引張力を紐状部材４２に作用させる事によって、容易に左右一対のバックル接続具２４をバックル２２の位置まで移動させる事が出来る。このバックル接続具２４がバックル方向に移動する工程において、スライダ４１はバックル接続具２４から離間して腰ベルト突出部１２に向かって移動を開始し、その際のスライダ４１の移動距離が、バックル接続具２４の（バックルまでの）移動距離よりも小さく構成される事により、バックル接続具２４の引っ張り動作は前記巻取り装置４５による巻取り力（紐状部材４２の張力）よりも小さい力で前記引き寄せ手段４（巻取り装置４５）から紐状部材４２を引き出す事が可能になる。
【００６４】
本実施例の構造は前記の通り紐状部材４２が直接バックル接続具２４に接続されていないため、前記バックル２２に左右一対のバックル接続具２４を接続して、前記シート本体１に着座した子供を拘束装置２によって拘束した状態において、前記引き寄せ制御機構６によって、チャイルドシトート使用時に巻取り装置４５による引き寄せ手段４の張力（巻取り力）を遮断すれば、サイドベルト２３の下方部が腰ベルト突出部１２の位置に向かって傾斜するため、前記左右一対のスライダ４１が腰ベルト突出部１２に向かって自動的に移動し、サイドベルト２３に不要な負荷が作用してサイドベルト２３に撓みが出て適切な拘束状態が阻害されることを防止することができる。
【００６５】
更に、前記左右一対の紐状部材４２の他方同士を連結し、前記巻取り装置４５の巻き取り部に接続し、前記巻取り装置４５をシート本体１に固定することによって前記紐状部材４２の、引き寄せ手段４に設けられた１つの巻取り装置４５によって左右夫々の紐状部材４２を同時に引き寄せ可能な構造にすることができる。
【実施例４】
【００６６】
実施例４において図１１は引き寄せ手段の実行状態を示す斜視図である。図１１に示す様に、本実施例の子供用シートの拘束装置は、子供が着座するシート本体１と前記シート本体１に着座した子供を拘束する拘束装置２とを有し、前記シート本体１は座面中央部に形成された股ベルト突出部１１と背面の左右位置に離間して形成された左右一対の肩ベルト突出部１２とを有し、前記拘束装置２は前記股ベルト突出部１１から突出し一端がシート本体１に固定される股ベルト２１と前記股ベルト２１の他端に固定されるバックル２２と前記肩ベルト突出部１２から突出し一端がシート本体１に固定される左右一対の肩ベルト２５と前記左右一対の肩ベルト２５の他端に固定される左右一対のバックル接続具２４とを有する子供用シートの拘束装置において、前記左右一対の肩ベルト２５の前記肩ベルト突出部１２の位置とバックル接続具２４の固定位置との間に配置され前記肩ベルト２５に対する配置位置が移動可能に構成される左右一対のスライダ４１と、前記肩ベルト２５に配置された前記左右一対のスライダ４１が互いに離間してシート本体１の左右の側壁部３の方向に引き寄せることが可能な引き寄せ手段７を有し、前記引き寄せ手段７の実施によるスライダ４１の移動によって前記肩ベルト２５に配置された前記左右一対のバックル接続具２４が互いに離間してシート本体１の左右の側壁部３の方向に移動可能に構成される。
【００６７】
前記バックル接続具２４は、前記バックル２２に接続可能なタング部２４１と前記肩ベルト２５を挿通可能なベルト挿通孔２４２とを有し、左右一対の前記スライダ４１は、夫々前記肩ベルト２５を挿通可能なベルト挿通孔４１１と紐固定部４１２を有する。
【００６８】
前記引き寄せ手段７は、左右一対の紐状部材４２を有し、前記左右一対の前記スライダ４１に形成された紐固定部４１２に前記左右一対の紐状部材４２の一方の端部が夫々接続され、前記左右一対の紐状部材４２の他方側に合成樹脂等の硬質な握り部４３１を有するループ状の引き寄せ操作部４３が配置され、更に前記シート本体１の左右の側壁部３の上方位置（縁部）には前記紐状部材４２が挿通可能な孔３２が設けられる事によって紐移動手段が構成される。
【００６９】
使用者（子供の保護者等）が前記引き寄せ操作部４３を引っ張る事によって、前記左右一対のスライダ４１は、前記ベルト挿通孔４１１に通された前記肩ベルト２５に対して摺動可能な状態で互いに離間し、シート本体１の左右の側壁部３の上方位置（縁部）に向かって移動可能な様に構成される。尚、本発明の引き寄せ操作部４３は上記ループ状の引き寄せ操作部４３に限定されず単なる紐状部材４２の結び目や棒状の握り部でも良く、更にこの様な握り部は既存の技術を利用して自由に形状を設定する事が出来る。
【００７０】
そして、上述の様に、左右一対のスライダ４１が互いに離間すると共にシート本体１の左右部分に形成された側壁部３の上方位置（縁部）に向かって移動する事によって、肩ベルト２５のスライダ４１配置部分が本体１の左右部分に形成された側壁部３の上方位置（縁部）に向かって移動し、前記肩ベルト２５の移動に伴ってバックル接続具２４が互いに離間すると共にシート本体１の左右部分に形成された側壁部３の上方位置（縁部）に向かって移動する様に構成される。尚、前記紐状部材４２が挿通可能な孔３２が、前記肩ベルト突出部１２を中心として、肩ベルト２５のバックル２２の固定位置までの長さを半径として描かれる円弧よりも外側に配置した場合は、前記引き寄せ手段７の実施の際に、前記スライダ４１が前記左右一対のバックル接続具２４と当接する様に構成される。
【００７１】
更に、本実施例においては、左右一対の前記スライダ４１のシート本体１の左右の側壁部３の上方位置（縁部）への移動状態を維持可能な紐保持手段５を有し、この紐保持手段５は、前記シート本体１の左右の側壁部３の上方位置の縁部に設けた前記紐状部材４２の挿通部３１を有し、この挿通部３１は伸縮性を有する縫製カバー３１に設けた孔３２よりなり、この孔３２の内径を紐状部材４２の外形よりも小さく形成することによって、孔３２に対する紐状部材４２の移動の際に摩擦抵抗が生じる様に構成され、前記摩擦抵抗によって前記左右一対のスライダ４１を互いに離間する方向に移動した状態が維持可能になる様に、縫製カバー３１の材質、縫製カバー３１の孔３２の内径、紐状部材４２の外形を既存の技術を用いて適切に設定することによって、紐保持手段５が構成される。なお、本実施例においては縫製カバー３１の材質は  ○○の裏面に発砲倍率％のウレタンをラミネート加工したものであり、孔の内径は○○ｍｍに形成され、紐状部材４２の材質は  ○○からなり、外径寸法は○○ｍｍである。なお、前記紐保持手段５の摩擦抵抗部を発生させるための構造は、本実施例に限定させず、適切な摩擦抵抗パットや、弾性構造等既存の技術を利用することができ、更に摩擦抵抗以外の既存の機械的なロック機構を用いて左右一対の前記スライダ４１を互いに離間する方向に移動した状態を維持可能に構成しても良い。
【００７２】
なお、本発明の子供用シートのシート本体に子供が着座し、前記拘束装置２によって子供を拘束する場合は、前記バックル接続具２４をバックル２２に接続するために、使用者（子供の保護者等）が、予め前記スライダ４１の引き寄せ手段７によってシート本体１の側壁部３の上方位置（縁部）に保持された左右一対のバックル接続具２４を、前記バックル２２の方向に向かって引っ張り、前記紐保持手段５の摩擦抵抗力よりも大きな引張力が紐状部材４２に作用させる事によって、容易に左右一対のバックル接続具２４をバックル２２の位置まで移動させる事が出来る。このバックル接続具２４がバックル方向に移動する工程において、スライダ４１の移動距離が、バックル接続具２４の（バックル２２までの）移動距離よりも小さいく構成される事により、前記紐保持手段５の保持力よりも小さい引っ張り力で前記紐保持手段５から紐状部材４２を引き出す事が可能になる。
【００７３】
本実施例の構造は前記の通り紐状部材４２が直接バックル接続具２４に接続されていないため、前記バックル２２に左右一対のバックル接続具２４を接続して、前記シート本体１に着座した子供を拘束装置２によって拘束した状態においては、肩ベルト２５の下端部が股ベルト２１に接続されたバックル２２との固定位置に向かって傾斜するため、前記左右一対のスライダ４１が肩ベルト２５の下端位置に自動的に移動し、肩ベルト２５に不要な横方向の負荷が作用し肩ベルト２５に撓みが出て適切な拘束状態が阻害されることを防止することができる。
【００７４】
更に、左右一対の前記紐状部材４２の他方同士を連結して1つにまとめて構成すれば、前記引き寄せ手段７に設けられた１つの引き寄せ操作部４３を使用者（子供の保護者等）が引っ張ることにより、左右夫々の紐状部材４２を同時に引き寄せ可能な構造にすることができる。
【実施例５】
【００７５】
実施例５において図１２は引き寄せ手段の実行状態を示す斜視図である。本実施例の子供用シートの拘束装置は、図１２に示す様に、子供が着座するシート本体１と前記シート本体１に着座した子供を拘束する拘束装置２とを有し、前記シート本体１は座面中央部に形成された股ベルト突出部１１と背面の左右位置に離間して形成された左右一対の肩ベルト突出部１３とを有し、前記拘束装置２は前記股ベルト突出部１１から突出し一端がシート本体１に固定される股ベルト２１と前記股ベルト２１の他端に固定されるバックル２２と前記肩ベルト突出部１３から突出し一端がシート本体１に固定される左右一対の肩ベルト２５と前記左右一対の肩ベルト２５の他端に固定される左右一対のバックル接続具２４とを有する子供用シートの拘束装置において、前記左右一対の肩ベルト２５の前記肩ベルト突出部１３の位置とバックル接続具２４の固定位置との間に配置され前記肩ベルト２５に対する配置位置が移動可能に構成される左右一対のスライダ４１と、前記肩ベルト２５に配置された前記左右一対のスライダ４１が互いに離間してシート本体１の左右の側壁部３の方向に引き寄せることが可能な引き寄せ手段７を有し、前記引き寄せ手段７の実施によるスライダ４１の移動によって前記肩ベルト２５に配置された前記左右一対のバックル接続具２４が互いに離間してシート本体１の左右の側壁部３の方向に移動可能に構成される。
【００７６】
前記バックル接続具２４は、前記バックル２２に接続可能なタング部２４１と前記肩ベルト２５を挿通可能なベルト挿通孔２４２とを有し、左右一対の前記スライダ４１は、夫々前記肩ベルト２５を挿通可能なベルト挿通孔４１１と紐固定部４１２を有する。
【００７７】
そして前記引き寄せ手段４は、左右一対の紐状部材４２を有し、前記左右一対のスライダ４１に形成された紐固定孔４１２に前記左右一対の紐状部材４２の一方の端部が夫々接続され、前記紐状部材４２の他方に弾性部材からなる伸縮部４４の一端が接続され、前記伸縮部４４の他端はシート本体１に固定され（他の部品を介して間接的にシート本体１に固定しても良い）、前記シート本体１の左右の側壁部３の上方位置（縁部）に前記紐状部材４２が挿通する孔３２を設けることによって引き寄せ手段４が構成される。尚、本実施例ではゴム状の弾性部材からなる伸縮部４４を用いているが、バネ等、他の既存の弾性部材を用いても良く、また、前記紐状部材４２自体が伸縮性を有する材料で構成されても良い。
【００７８】
使用者（子供の保護者等）が、前記バックル２２に対して左右一対のバックル接続具２４の接続を解除すると、前記引き寄せ手段７によって、前記左右一対のスライダ４１は、前記ベルト挿通孔４１１に通された前記肩ベルト２５に対して摺動可能な状態で互いに離間し、シート本体１の左右の側壁部３の上方位置（縁部）に向かって移動する様に構成されている。
【００７９】
そして、上述の様に、左右一対のスライダ４１が互いに離間すると共にシート本体１の左右部分に形成された側壁部３の上方位置（縁部）に向かって移動する事によって、肩ベルト２５のスライダ４１配置部分が本体１の左右部分に形成された側壁部３の上方位置（縁部）に向かって移動し、前記肩ベルト２５の移動に伴ってバックル接続具２４が互いに離間すると共にシート本体１の左右部分に形成された側壁部３の上方位置（縁部）に向かって移動する様に構成される。尚、前記紐状部材４２が挿通可能な孔３２が、前記肩ベルト突出部１２を中心として、肩ベルト２５のバックル２２の固定位置までの長さを半径として描かれる円弧よりも外側に配置した場合は、前記引き寄せ手段７の実施の際に、前記スライダ４１が前記左右一対のバックル接続具２４と当接する様に構成される。
【００８０】
更に、本実施例においては、前記伸縮部４４の張力によって、左右一対のスライダ４１が互いに離間する方向に移動する前記引き寄せ手段７を無効化することが出来る様に、前記シート本体１の左右の側壁３の上方位置（縁部）に設けた前記紐状部材４２が挿通する孔３２部分には引き寄せ手段４による紐状部材４２の移動が可能な状態と移動が不可能な状態との切り替えが可能に構成された引き寄せ制御機構６が設けられる。尚、この引き寄せ制御機構６は既存の紐状部材４２の固定技術を利用して適切に設計する事ができる。
【００８１】
そして、本発明の子供用シートのシート本体１に子供が着座し、前記拘束装置２によって子供を拘束する場合は、前記バックル接続具２４をバックル２２に接続するために、使用者（子供の保護者等）が、前記スライダ４１の引き寄せ手段７によってシート本体１の左右部分に形成された側壁部３の上方位置（縁部）に保持された左右一対のバックル接続具２４を、前記バックル２２の方向に向かって引っ張り、前記伸縮部４４による張力よりも大きな引張力を紐状部材４２に作用させる事によって、左右一対のバックル接続具２４をバックル２２の位置まで移動させる事が出来る。このバックル接続具２４がバックル方向に移動する工程において、スライダ４１の移動距離が、バックル接続具２４の（バックルまでの）移動距離よりも小さく構成される事により、前記伸縮部４４による張力よりも小さい引っ張り力で前記引き寄せ手段７から紐状部材４２を引き出す事が可能になる。
【００８２】
本実施例の構造は前記の通り紐状部材４２が直接バックル接続具２４に接続されていないため、前記バックル２２に左右一対のバックル接続具２４を接続して、前記シート本体１に着座した子供を拘束装置２によって拘束した状態において、前記引き寄せ制御機構６によって、チャイルドシトート使用時に弾性部４３による引き寄せ手段７の張力を遮断すれば、肩ベルト２５の下端部が股ベルト２１に接続されたバックル２２との固定の位置に向かって傾斜するため、前記左右一対のスライダ４１が肩ベルト２５の下端位置に自動的に移動し、肩ベルト２５に不要な横方向の負荷が作用し肩ベルト２５に撓みが出て適切な拘束状態が阻害されることを防止することができる。
【００８３】
更に、左右一対の紐状部材４２の他方同士を連結して1つにまとめて構成すれば、前記引き寄せ手段７に設けられた１つの前記弾性部材によって、左右夫々の紐状部材４２を同時に引き寄せ可能な構造にすることができる。
【実施例６】
【００８４】
実施例６において図１３は引き寄せ手段の実行状態を示す斜視図である。本実施例の子供用シートの拘束装置は、図１３に示す様に、子供が着座するシート本体１と前記シート本体１に着座した子供を拘束する拘束装置２とを有し、前記シート本体１は座面中央部に形成された股ベルト突出部１１と背面の左右位置に離間して形成された左右一対の肩ベルト突出部１３とを有し、前記拘束装置２は前記股ベルト突出部１１から突出し一端がシート本体１に固定される股ベルト２１と前記股ベルト２１の他端に固定されるバックル２２と前記肩ベルト突出部１３から突出し一端がシート本体１に固定される左右一対の肩ベルト２５と前記左右一対の肩ベルト２５の他端に固定される左右一対のバックル接続具２４とを有する子供用シートの拘束装置において、前記左右一対の肩ベルト２５の前記肩ベルト突出部１３の位置とバックル接続具２４の固定位置との間に配置され前記肩ベルト２５に対する配置位置が移動可能に構成される左右一対のスライダ４１と、前記肩ベルト２５に配置された前記左右一対のスライダ４１が互いに離間してシート本体１の左右の側壁部３の方向に引き寄せることが可能な引き寄せ手段７を有し、前記引き寄せ手段７の実施によるスライダ４１の移動によって前記肩ベルト２５に配置された前記左右一対のバックル接続具２４が互いに離間してシート本体１の左右の側壁部３の方向に移動可能に構成される。
【００８５】
前記バックル接続具２４は、前記バックル２２に接続可能なタング部２４１と前記肩ベルト２５を挿通可能なベルト挿通孔２４２とを有し、左右一対の前記スライダ４１は、夫々前記肩ベルト２５を挿通可能なベルト挿通孔４１１と紐固定部４１２を有する。
【００８６】
前記引き寄せ手段７は、左右一対の紐状部材４２を有し、前記左右一対のスライダ４１に形成された紐固定孔４１２に前記左右一対の紐状部材４２の一方の端部が夫々接続され、前記紐状部材４２の他方は巻取り装置４５の巻取り部に接続され、前記シート本体１の左右の側壁部３の上方位置（縁部）に前記巻取り装置４５を固定することによって引き寄せ手段７が構成される。尚、前記巻取り装置４５は内部にゴムやバネ等の弾性部材が配置され、前記紐状部材を所定の範囲の張力で巻取り装置のケース内に巻き取り可能に構成される。（巻き取り装置は既存の技術を用いて適切に設計する事ができる）
【００８７】
使用者（子供の保護者等）が、前記バックル２２に対して左右一対のバックル接続具２４の接続を解除すると、前記引き寄せ手段７によって、前記左右一対のスライダ４１は、前記ベルト挿通孔４１１に通された前記サイドベルト２３に対して摺動可能な状態で互いに離間し、シート本体１の左右の側壁部３の上方位置（縁部）に向かって移動する様に構成されている。
【００８８】
そして、上述の様に、左右一対のスライダ４１が互いに離間すると共にシート本体１の左右部分に形成された側壁部３の上方位置（縁部）に向かって移動する事によって、肩ベルト２５のスライダ４１配置部分が本体１の左右部分に形成された側壁部３の上方位置（縁部）に向かって移動し、前記肩ベルト２５の移動に伴ってバックル接続具２４が互いに離間すると共にシート本体１の左右部分に形成された側壁部３の上方位置（縁部）に向かって移動する様に構成される。尚、前記紐状部材４２が挿通可能な孔３２が、前記肩ベルト突出部１２を中心として、肩ベルト２５のバックル２２の固定位置までの長さを半径として描かれる円弧よりも外側に配置した場合は、前記引き寄せ手段７の実施の際に、前記スライダ４１が前記左右一対のバックル接続具２４と当接する様に構成される。
【００８９】
更に、本実施例においては、前記巻取り装置４５の巻取り力によって、左右一対のスライダ４１が互いに離間する方向に移動する前記引き寄せ手段７を無効化することが出来る様に、前記巻取り装置４５には前記引き寄せ手段７による紐状部材４２の移動が可能な状態と移動が不可能な状態との切り替えが可能に構成された引き寄せ制御機構６が設けられる。尚、この引き寄せ制御機構６は巻取り装置４５とは別体で設けても良く、既存の紐状部材の固定技術を利用して適切に設計する事ができる。
【００９０】
尚、本発明の子供用シートのシート本体１に子供が着座し、前記拘束装置２によって子供を拘束する場合は、前記バックル接続具２４をバックル２２に接続するために、使用者（子供の保護者等）が、予め前記スライダ４１の引き寄せ手段７によってシート本体１の左右部分に形成された側壁部３の上方位置（縁部）に保持された左右一対のバックル接続具２４を、前記バックル２２の方向に向かって引っ張り、前記巻取り装置４５による巻取り力よりも大きな引張力を紐状部材４２に作用させる事によって、容易に左右一対のバックル接続具２４をバックル２２の位置まで移動させる事が出来る。このバックル接続具２４がバックル方向に移動する工程において、スライダ４１の移動距離が、バックル接続具２４の（バックルまでの）移動距離よりも小さく構成される事により、前記巻取り装置４５による巻取り力（紐状部材４２の張力）よりも小さい引っ張り力で前記引き寄せ手段７（巻取り装置４５）から紐状部材４２を引き出す事が可能になる。
【００９１】
本実施例の構造は前記の通り紐状部材４２が直接バックル接続具２４に接続されていないため、前記バックル２２に左右一対のバックル接続具２４を接続して、前記シート本体１に着座した子供を拘束装置２によって拘束した状態において、前記引き寄せ制御機構６によって、チャイルドシトート使用時に巻取り装置４５による引き寄せ手段７の張力を遮断すれば、肩ベルト２５の下端部が股ベルト２１に接続されたバックル２２との固定の位置に向かって傾斜するため、前記左右一対のスライダ４１が肩ベルト２５の下端位置に自動的に移動し、肩ベルト２５に不要な横方向の負荷が作用し肩ベルト２５に撓みが出て適切な拘束状態が阻害されることを防止することができる。
【００９２】
更に、左右一対の紐状部材４２の他方同士を連結して1つにまとめて構成すれば、前記引き寄せ手段７に設けられた１つの前記巻取り装置４５によって、左右夫々の紐状部材４２を同時に引き寄せ可能な構造にすることができる。
【産業上の利用可能性】
【００９３】
本発明は自動車用チャイルドシートや、自動車用ベビーベッド、およびベビーカー等の子供用シート用の子供の拘束装置として産業上有効に利用する事ができる。
【符号の説明】
【００９４】
１：シート本体、２：拘束装置、３：側壁部、４：引き寄せ手段、５：紐保持手段、６：引き寄せ制御機構、７：引き寄せ手段、
１１：股ベルト突出部、１２：腰ベルト突出部、１３：肩ベルト突出部、
２１：股ベルト、２２：バックル、２３：サイドベルト、２４：バックル接続具、２５：肩ベルト、３１：縫製カバー、３２：孔、
４１：スライダ、４２：紐状部材、４３：引き寄せ操作部、４４：伸縮部、４５：巻取り装置、
２４１：タング部、２４２：ベルト挿通孔、
４１１：ベルト挿通孔、４１２：紐固定孔、４３１：握り部、
【図１】
2012116273.tif 000003
【図２】
2012116273.tif 000004
【図３】
2012116273.tif 000005
【図４】
2012116273.tif 000006
【図５】
2012116273.tif 000007
【図６】
2012116273.tif 000008
【図７】
2012116273.tif 000009
【図８】
2012116273.tif 000010
【図９】
2012116273.tif 000011
【図１０】
2012116273.tif 000012
【図１１】
2012116273.tif 000013
【図１２】
2012116273.tif 000014
【図１３】
2012116273.tif 000015
【手続補正書】
【提出日】平成23年11月9日(2011.11.9)
【手続補正１】
【補正対象書類名】明細書
【補正対象項目名】００４３
【補正方法】変更
【補正の内容】
【００４３】
更に、本実施例においては、左右一対の前記スライダ４１のシート本体１の左右の側壁部３の上方位置（縁部）への移動状態を維持可能な紐保持手段５を有し、この紐保持手段５は、前記シート本体１の左右の側壁部３の上方位置の縁部に設けた前記紐状部材４２の挿通部３１を有し、この挿通部３１は伸縮性を有する縫製カバー３１に設けた孔３２よりなり、この孔３２の内径を紐状部材４２の外形よりも小さく形成することによって、孔３２に対する紐状部材４２の移動の際に摩擦抵抗が生じる様に構成され、前記摩擦抵抗によって前記左右一対のスライダ４１を互いに離間する方向に移動した状態が維持可能になる様に、縫製カバー３１の材質、縫製カバー３１の孔３２の内径、紐状部材４２の外形を既存の技術を用いて適切に設定することによって、紐保持手段５が構成される。なお、前記紐保持手段５の摩擦抵抗部を発生させるための構造は、本実施例に限定させず、適切な摩擦抵抗パットや、弾性構造等既存の技術を利用することができ、更に摩擦抵抗以外の既存の機械的なロック機構を用いて左右一対の前記スライダ４１を互いに離間する方向に移動した状態を維持可能に構成しても良い。
【手続補正２】
【補正対象書類名】明細書
【補正対象項目名】００７１
【補正方法】変更
【補正の内容】
【００７１】
更に、本実施例においては、左右一対の前記スライダ４１のシート本体１の左右の側壁部３の上方位置（縁部）への移動状態を維持可能な紐保持手段５を有し、この紐保持手段５は、前記シート本体１の左右の側壁部３の上方位置の縁部に設けた前記紐状部材４２の挿通部３１を有し、この挿通部３１は伸縮性を有する縫製カバー３１に設けた孔３２よりなり、この孔３２の内径を紐状部材４２の外形よりも小さく形成することによって、孔３２に対する紐状部材４２の移動の際に摩擦抵抗が生じる様に構成され、前記摩擦抵抗によって前記左右一対のスライダ４１を互いに離間する方向に移動した状態が維持可能になる様に、縫製カバー３１の材質、縫製カバー３１の孔３２の内径、紐状部材４２の外形を既存の技術を用いて適切に設定することによって、紐保持手段５が構成される。なお、前記紐保持手段５の摩擦抵抗部を発生させるための構造は、本実施例に限定させず、適切な摩擦抵抗パットや、弾性構造等既存の技術を利用することができ、更に摩擦抵抗以外の既存の機械的なロック機構を用いて左右一対の前記スライダ４１を互いに離間する方向に移動した状態を維持可能に構成しても良い。